(57)【要約】【課題】  本発明は、光情報の高記録容量化を図ることができるとともに、光情報を正確に記録再生することができる３次元光記録媒体を提供する。【解決手段】  本発明の３次元光記録媒体ＯＭは、光情報の記録場所を決める位置決め信号の記録領域が縁部１４のみに設定されている。この３次元光記録媒体ＯＭでは、縁部１４以外の広い領域に光情報の記録領域を確保することができるので、光情報の高記録容量化を図ることが可能となる。そして、この３次元光記録媒体ＯＭでは、光情報の記録領域と、位置決め信号の記録領域とを別々に設定することができるので、記録光や参照光が光情報記録層１２で散乱することが回避される。その結果、この３次元光記録媒体ＯＭでは、光情報を正確に記録再生することが可能となる。【選択図】      図１
2006293164.tif 000002
【特許請求の範囲】
【請求項１】
光情報の記録場所を決める位置決め信号の記録領域が縁部のみに設定されていることを特徴とする３次元光記録媒体。
【請求項２】
前記位置決め信号が、光で検知可能な媒体形成材料の物理的性質の変化で記録されていることを特徴とする請求項１に記載の３次元光記録媒体。
【請求項３】
前記物理的性質が、０．５μｍ以上、１００μｍ以下の間隔で周期的に変化していることを特徴とする請求項２に記載の３次元光記録媒体。
【発明の詳細な説明】
【技術分野】
【０００１】
本発明は、例えば、ホログラムメモリ、多層光メモリ、近接場光を利用するメモリ等の３次元光記録媒体に関する。
【背景技術】
【０００２】
従来、３次元光記録媒体の記録方式には、回転するディスク状の媒体に対して光情報を多重記録していく回転記録方式と、記録時に光記録媒体は回転せずに多重記録する位置を段階的に変えていくストップアンドゴー（Stop and Go）方式とが知られている。そして、回転記録方式を使用する３次元光記録媒体としては、光情報の記録再生を行う際に記録光や参照光の照射位置をサーボ制御するためのピットを備えたものが知られている（例えば、特許文献１参照）。この３次元光記録媒体は、透明基板上に記録層が形成されたものであり、複数のピットが透明基板面に規定された同心円状のトラックに沿って並ぶように形成されている。この３次元光記録媒体では、透明基板側から照射されたサーボ用光がピットを検出することによって記録光等がサーボ制御される。そして、透明基板側から照射された記録光等は光情報を記録層に記録する。
【特許文献１】特開２００２−６３７３３号公報（段落００１３から段落００１８、図２）
【発明の開示】
【発明が解決しようとする課題】
【０００３】
ところが、このような従来の３次元光記録媒体では、記録光等が透明基板を通過する際にピットに当たることよって記録層内で散乱する。その結果、光情報が正確に記録されない恐れがある。また、ピット部分（あるいはピット近傍）に記録を行わないとすると、記録容量が大幅に低下する。
その一方で、従来、ストップアンドゴー方式で光情報を記録再生する３次元光記録媒体において、記録光等の照射位置を決める手段を備えたものは知られていない。しかしながら、ストップアンドゴー方式で光情報を記録再生する場合であっても、３次元光記録媒体に対して大きい容量で正確に光情報を記録し、かつ記録した光情報を正確に再生するためには記録光等の照射位置が正確に位置決めされなければならない。
【０００４】
そこで、本発明は、光情報の高記録容量化を図ることができるとともに、光情報を正確に記録再生することができる３次元光記録媒体を提供することにある。
【課題を解決するための手段】
【０００５】
前記課題を解決するため、本発明の３次元光記録媒体は、光情報の記録場所を決める位置決め信号の記録領域が縁部のみに設定されていることを特徴とする。
この３次元光記録媒体では、縁部以外の広い領域に光情報の記録領域を確保することができるので、光情報の高記録容量化を図ることが可能となる。そして、この３次元光記録媒体では、光情報の記録領域と、位置決め信号の記録領域とを別々に設定することができるので、従来の３次元光記録媒体（例えば、特許文献１参照）のように記録光や参照光が記録層で散乱することが回避される。その結果、この３次元光記録媒体では、光情報を正確に記録再生することが可能となる。
【０００６】
また、このような３次元光記録媒体においては、前記位置決め信号が、光で検知可能な媒体形成材料の物理的性質の変化で記録されていてもよい。ここでの媒体形成材料とは、３次元光記録媒体を形成する材料をいい、１種で構成されていても複数種で構成されていてもよい。媒体形成材料の物理的性質の変化としては、光で検知可能であれば特に制限はなく、例えば、突起、ピット（くぼみ）、孔、凸条および溝、ならびにこれらが組み合わせられた凹凸パターン、空隙（気泡）等のような３次元光記録媒体に使用される媒体形成材料の変形が挙げられる。
また、ここでの物理的性質の変化は、光の屈折率の変化、光の透過率の変化、照射光に対する反射光の光量の変化、照射光に対する反射光の波長の変化等を生じさせるような媒体形成材料の変化をも含む。また、この物理的性質の変化は、３次元光記録媒体の表面に形成されていてもよいし、光で検知可能な３次元光記録媒体の内部に形成されていてもよい。
【０００７】
また、物理的性質の変化は、３次元光記録媒体の厚み方向の側面に形成されていてもよい。例えば、前記物理的性質の変化は、前記縁部に所定のピッチで繰り返して形成された山部および谷部である３次元光記録媒体であってもよい。
【０００８】
また、光情報が記録される記録材料を上面基板と下面基板とでサンドイッチ状に挟んだ構造の３次元光記録媒体においては、上面基板と下面基板との両方に位置決め信号が形成されたものであってもよい。このような３次元光記録媒体の上面基板と下面基板とに設定される位置決め信号は同じであっても、異なっていても良い。
【０００９】
また、このような３次元光記録媒体においては、前記物理的性質が、０．５μｍ以上、１００μｍ以下の間隔で周期的に変化しているものが望ましい。また、３次元光記録媒体は、ディスク状のものが望ましい。この３次元光記録媒体では、位置決め信号が周縁に記録される。また、３次元光記録媒体がセンタ孔を有する場合には、センタ孔の周囲（３次元光記録媒体の内側の縁部）に位置決め信号が記録される。
【００１０】
そして、このような３次元光記録媒体おいては、シフト多重方式や、角度多重方式、波長多重方式、位相コード多重方式、ポリトピック（Polytopic）多重方式、これらの組み合わせによる多重方式で光情報の記録が行われることが望ましい。また、このような３次元光記録媒体おいては、ストップアンドゴー方式で光情報の記録が行われることが望ましい。
【発明の効果】
【００１１】
本発明の３次元光記録媒体によれば、光情報の高記録容量化を図ることができるとともに、光情報を正確に記録再生することができる。
【発明を実施するための最良の形態】
【００１２】
次に、本発明の実施形態について適宜図面を参照しながら詳細に説明する。図１（ａ）は、実施形態に係る３次元光記録媒体の斜視図、図１（ｂ）は、図１（ａ）のＸ部を拡大した様子を模式的に示す図である。本実施形態においては、３次元光記録媒体の一例としてのホログラフィ（干渉）を用いて光情報を記録するものについて説明する。
【００１３】
図１（ａ）に示すように、３次元光記録媒体ＯＭ（以下、単に「光記録媒体ＯＭ」という）はディスク状であって、その中央部には図示しない記録再生装置側の駆動軸にこの光記録媒体ＯＭを嵌め入れるためのセンタ孔Ｈが形成されている。この光記録媒体ＯＭは、第１の光透過性基板１０ａおよび第２の光透過性基板１０ｂと、光情報記録層１２とを備えている。
【００１４】
光透過性基板１０ａ，１０ｂは、図１（ａ）に示すように、センタ孔Ｈに対応する孔部を中央に有するディスク状の部材であって、光情報記録層１２を挟持するように配置されている。この光透過性基板１０ａ，１０ｂの厚みは、それぞれ０．０５〜１．２ｍｍに設定されている。
【００１５】
図１（ｂ）に示すように、第１の光透過性基板１０ａの外側の縁部１４には、光情報の記録場所を決める位置決め信号の記録領域が設定されている。そして、位置決め信号は、媒体形成材料の変形、つまり第１の光透過性基板１０ａの前記した材料の変形としてのピット１１で記録されている。このピット１１は、図１（ｂ）に示すように、第１の光透過性基板１０ａの外周に沿って等間隔に形成された微小な窪みであり、そのピッチＰは、０．５μｍ以上、１００μｍ以下に設定されている。ピット１１は、ピット１１が形成されていない場所と比較して光の反射率が低くなるために後記する光センサ１５（図２（ａ）参照）が受ける光によって検出可能になっている。ピット１１の形状は、特に制限はないが、本実施形態でのピット１１は長穴であり、長さが０．４μｍ〜３μｍに設定され、幅が０．４μｍ程度に設定されている。ピット１１の深さは、使用する光透過性基板１０ａの材質によって異なり、ピット１１が形成された部分と形成されていない部分との光の反射率の差が読み出せるように適宜に調節することができる。
このような光透過性基板１０ａ，１０ｂの材料としては、例えば、ガラス等の無機物や、ポリカーボネート、トリアセチルセルロース、シクロオレフィンポリマー、ポリエチレンテレフタレート、ポリフェニレンスルフィド、アクリル樹脂、メタクリル樹脂、ポリスチレン樹脂、塩化ビニル樹脂、エポキシ樹脂、ポリエステル樹脂、アモルファスポリオレフィン等の樹脂が挙げられる。中でも、ガラス、ポリカーボネート、およびトリアセチルセルロースは、複屈折が小さいので好ましい。なお、光透過性基板１０ａ，１０ｂのそれぞれは、同一の材料で形成されていても、あるいは異なる材料で形成されていてもよい。また、光透過性基板１０ａ，１０ｂの表面には、反射防止コーティングや、酸素透過防止コーティング、水分透過防止コーティング、ＵＶカットコーティング等が必要に応じて施されていてもよい。
【００１６】
光情報記録層１２は、図１（ａ）に示すように、センタ孔Ｈに対応する孔部を中央に有するディスク状の部材であって、光透過性基板１０ａ，１０ｂの間に配置されている。この光情報記録層１２は、光が照射されることによって光情報が記録される層であって、厚みが０．５〜２．５ｍｍ、好ましくは０．５〜２．０ｍｍに設定された光反応性樹脂組成物で形成されている。この光反応性樹脂組成物としては、例えば、フォトポリマ材料が挙げられる。このフォトポリマ材料は、重合性モノマと、増感色素と、重合開始剤と、バインダとを含有している。
【００１７】
重合性モノマとしては、重合性基があれば特に限定はなく、例えば、ラジカル重合性モノマ、カチオン重合性モノマ、これらのモノマを併用したものが挙げられ、具体的には、エポキシ基、エチレン性不飽和基等の重合性基を含む化合物が挙げられる。重合性モノマは、これらの重合性基を分子内に１つ以上含んでいればよく、分子内に２つ以上の重合性基を含む重合性モノマは、それらの重合性基が異なるものでもよいし、同じものでもよい。
【００１８】
増感色素としては、後記する記録光（参照光）の波長に吸収を有するものであれば特に制限はないが、記録光（参照光）の波長における色素自体の光吸収係数εが低いものが好ましい。増感色素の具体例としては、シアン系、メロシアン系、フタロシアン系、アゾ系、アゾメチン系、インドアニリン系、キサンテン系、クマリン系、ポリメチン系、ジアリルエテン系、フルギドフルオラン系、アントラキノン系、スチリル系等の公知の有機色素が挙げられる。また、これら以外にも増感色素としては、錯体色素が用いられても良い。
【００１９】
重合開始剤としては、ラジカル発生剤、カチオン発生剤、酸発生剤等が挙げられる。
【００２０】
バインダとしては、例えば、塩素化ポリエチレン、ポリメチルメタクリレート、メチルメタクリレートと他の（メタ）アクリル酸アルキルエステルの共重合体、塩化ビニルとアクリロニトリルの共重合体、ポリ酢酸ビニル、ポリビニルアルコール、ポリビニルホルマール、ポリビニルブチラール、ポリビニルピロリドン、エチルセルロース、アセチルセルロース、ポリカーボネート等が挙げられる。なお、バインダの屈折率は、重合性モノマの重合物の屈折率との差が大きなものが好ましい。ただし、屈折率の差が大きすぎるような組み合わせでは、バインダと重合性モノマとの相溶性が低下し、その結果として光の散乱が大きくなる場合があるため、適当な屈折率のバインダが求められる。
【００２１】
また、光反応性樹脂組成物には、必要に応じて、増感剤、光学的増白剤、紫外線吸収剤、熱安定剤、連鎖移動剤、可塑剤、着色剤等のこの種の光記録媒体の光情報記録層の形成に常用されるものを含んでいてもよい。
【００２２】
また、光情報記録層１２の材料には、ホログラムで光情報が記録される公知の光記録媒体に使用される他の材料を使用することができる。このような他の材料としては、例えば、ハロゲン化銀や重クロム酸ゼラチン、フォトリフラクティブ材料、フォトクロミック材料等が挙げられる。また、光情報記録層１２の材料としては、例えば、色素の発色や消色に伴う屈折率変化を生じるものを用いることができる。このような光情報記録層１２の材料は、適宜に組み合わせて使用することもでき、例えば、前記したフォトポリマ材料に光の照射によって発色または消色する色素を含むもの、前記した光反応性樹脂組成物にフォトリフラクティブ材料を含むものであってもよい。
なお、光情報記録層１２は、記録方式に応じて光反応性樹脂組成物に代えて熱重合性樹脂組成物（熱硬化性樹脂組成物）で形成されたものであってもよい。
【００２３】
以上のような光記録媒体ＯＭは、例えば、第２の光透過性基板１０ｂ上に光情報記録層１２を形成する工程と、ピット１１が形成された第１の光透過性基板１０ａを前記光情報記録層１２上に設ける工程とを備える製造方法によって得ることができる。また、光記録媒体ＯＭは、ピット１１が形成された第１の光透過性基板１０ａ上に光情報記録層１２を形成する工程を備える製造方法によっても得ることができる。また、光記録媒体ＯＭが形成された後にピット１１は形成されても良い。
【００２４】
第１の光透過性基板１０ａにピット１１を形成する方法としては、例えば、成型法、レーザや電子線による描画法、フォトリソグラフ法等が挙げられる。
光情報記録層１２は、例えば、第２の光透過性基板１０ｂ上に光反応性樹脂組成物を塗布することによって形成することができる。また、光情報記録層１２は、射出成形法によって、あるいは熱やラジカルによる重合によって形成しても良いし、熱圧着法等を使用して形成することも可能である。
【００２５】
次に、このような光記録媒体ＯＭへの光情報の記録方法について適宜図面を参照しながら説明する。参照する図面において、図２（ａ）および図２（ｂ）は、光記録媒体に光情報が記録される工程を示す模式図である。
まず、光記録媒体ＯＭが、公知の記録再生装置の駆動軸（図示せず）にセンタ孔Ｈ（図１（ａ）参照）を介して装着される。そして、光記録媒体ＯＭが駆動軸周りに所定の角度を回動する間に、図２（ａ）に示すように、記録再生装置側の光センサ１５は、光記録媒体ＯＭの縁部１４に形成されたピット１１を検出していく。そして、本実施形態では、光センサ１５が複数のピット１１のうち基準位置に配置されたピット１１（以下、このピット１１を「基準ピット１１ａ」として他のピット１１と便宜的に区別して表現する）を検出した位置で前記した駆動軸は光記録媒体ＯＭの回動を停止させる。ちなみに、本実施形態での基準ピット１１ａと他のピット１１との識別は、例えば、ピット１１の光の反射率に対して異なる反射率が基準ピット１１ａに設定されることによって行われ、あるいはピット１１同士のピッチＰに対して、基準ピット１１ａとこれに隣接するピット１１とのピッチＰを変更することによって行われる。
【００２６】
次いで、光記録媒体ＯＭには、周知のとおり、参照光と記録光とが光記録媒体ＯＭに照射されることによって光情報が多重記録される。この際、図２（ａ）に示すように、光センサ１５が基準ピット１１ａを検出して光記録媒体ＯＭの回動を停止させることによって、記録光および参照光（図２（ａ）中、記録光等Ｒとして示す）が照射される第１の記録箇所１６ａが位置決めされる。本実施形態での多重方式は、公知の角度多重方式であって、多重記録しようとする各光情報の記録光ごとに、参照光の入射角度が変更される。具体的には、まず所定の入射角度に設定された参照光が第１の光情報の記録光に合わせ込まれるとともに、記録光および参照光が光記録媒体ＯＭの第１の記録箇所１６ａに照射されることによって光情報記録層１２（図１（ａ）参照）に干渉縞が形成される。例えば、フォトポリマ材料が使用される場合においては、干渉縞明部では、重合性モノマが重合し、干渉縞暗部では、重合性モノマが干渉縞明部に移動するとともに、バインダが押しやられて集まってくる。つまり、干渉縞明部は重合性モノマが重合してポリマリッチになるとともに、干渉縞暗部はバインダリッチとなる。その結果、光情報は、屈折率差や光透過率の差となって現われる干渉縞として光情報記録層１２内に記録される。次に、参照光の入射角度が変更されるとともに、この参照光が第２の光情報の記録光に合わせ込まれる。そして、第１の光情報が記録された第１の記録箇所１６ａ（図２（ａ）参照）に干渉縞が形成されることによって第２の光情報が重ねて記録される。次いで、多重記録していく他の光情報の記録光ごとに異なる入射角度の参照光が合わせ込まれることによって、光情報記録層１２の第１の記録箇所１６ａに複数の光情報が記録されていく。
【００２７】
このような第１の記録箇所１６ａへの所定の光情報の多重記録が終了すると、光記録媒体ＯＭが前記した駆動軸周りに再び回動する。そして、図２（ｂ）に示すように、光センサ１５が基準ピット１１ａに隣接して並ぶ次のピット１１を検出して光記録媒体ＯＭの回動を停止させることによって、記録光および参照光（図２（ｂ）中、記録光等Ｒとして示す）が照射される第２の記録箇所１６ｂが位置決めされる。ちなみに、第１の記録箇所１６ａと第２の記録箇所１６ｂとは、重なっていても、重なっていなくても良い。位置決めされた記録光および参照光は、第１の記録箇所１６ａでの多重記録と同様に、複数の光情報を第２の記録箇所１６ｂに多重記録していく。この第２の記録箇所１６ｂでの多重記録が終了すると、再び光記録媒体ＯＭが駆動軸周りに回動するとともに、光センサ１５が次のピット１１を検出して記録光および参照光の照射位置が位置決めされる。つまり、本実施形態では、多重記録する位置（以下、単に「記録箇所１６」という）を段階的に変えていくストップアンドゴー（Stop and Go）方式で光情報が記録されていく。そして、光記録媒体ＯＭに対する所定の光情報の記録が終了すると、光情報の記録に使用されなかった重合性モノマは、レーザや白色光源で露光されて定着され、あるいは熱処理で定着される。
【００２８】
一方、光情報記録層１２に記録された光情報は、周知のとおり、参照光が各記録箇所１６に照射されることによって再生される。この際、参照光の各記録箇所１６への位置決めは、光情報が記録されたときと同様にして光センサ１５が基準ピット１１ａおよびその他のピット１１を検出することによって行われる。そして、各記録箇所１６に多重記録された複数の光情報のそれぞれは、各光情報が記録されたときの入射角度に設定された参照光が照射されることによって再生される。
【００２９】
このような光記録媒体ＯＭによれば次のような効果を奏する。
光記録媒体ＯＭによれば、記録光および参照光の照射位置がピット１１によって位置決めされるので、光情報の記録再生を正確に行うことができる。
この光記録媒体ＯＭによれば、縁部１４以外の広い領域に光情報の記録領域が確保されるので、光情報の高記録容量化を図ることができる。
また、光記録媒体ＯＭは、光情報の記録領域と、ピット１１の形成領域（位置決め信号の記録領域）とを別々に設定することができるので、従来の光記録媒体（例えば、特許文献１参照）のように記録光や参照光がピット１１に当たって光情報記録層１２で散乱することが回避される。その結果、この光記録媒体ＯＭでは、光情報を正確に記録再生することが可能となる。
また、光記録媒体ＯＭは、相互に隣接する、あるいはその一部が重なる記録箇所１６同士の間隔を決定するピット１１のピッチＰが、０．５μｍ以上、１００μｍ以下に設定されているので、光情報の記録容量をより大きくすることができるとともに、光情報をさらに正確に記録再生することができる。
【００３０】
以上、本発明の実施形態について説明したが、本発明は前記した実施形態に限定されることなく適宜変形して実施することが可能である。例えば、前記実施形態では、媒体形成材料の物理的性質の変化がピット１１であるが、本発明は、物理的性質の変化が、光の屈折率の変化、光の透過率の変化、照射光に対する反射光の光量の変化、照射光に対する反射光の波長の変化等を生じさせるような媒体形成材料の変化であればよい。つまり、本発明はピット１１に代えて、突起、孔、凸条および溝、ならびにこれらが組み合わせられた凹凸パターン、空隙（気泡）等を有するものであってもよい。
【００３１】
また、前記実施形態では、ピット１１が第１の光透過性基板１０ａの外側（光情報記録層１２の反対側）に形成されているが、本発明はピット１１が第１の光透過性基板１０ａの内側（光情報記録層１２側）に形成されたものであってもよいし、第１の光透過性基板１０ａの外側および内側の両方に形成されたものであってもよい。また、前記実施形態では、縁部１４に複数のピット１１が形成されているが、縁部１４に一つのピット１１が形成されたものであってもよい。また、ピット１１が複数列に亘って形成されても良い。
【００３２】
また、媒体形成材料の変形は、光記録媒体ＯＭの厚み方向の側面に形成されていてもよい。このような光記録媒体ＯＭとしては、例えば図３に示すように、第１の光透過性基板１０ａの周面で光記録媒体ＯＭの厚み方向Ｄに延びる山部２１および谷部２２を有するものが挙げられる。この光記録媒体ＯＭでは、山部２１および谷部２２が第１の光透過性基板１０ａの周面に所定のピッチＰで交互に繰り返して並ぶように形成されている。この光記録媒体ＯＭでは、光センサ１５が山部２１を検出することによって、あるいは谷部２２を検出することによって記録光および参照光の照射位置が位置決めされる。
【００３３】
また、前記実施形態では、媒体形成材料の変形（ピット１１）が第１の光透過性基板１０ａに形成されているが、本発明は媒体形成材料の変形が第１の光透過性基板１０ａ以外に形成されていてもよい。このような光記録媒体ＯＭとしては、例えば図４に示すように、媒体形成材料の変形が光透過性基板１０ａ，１０ｂの間に配置された光透過性のスペーサ１３ａに形成されたものが挙げられる。図４は、光記録媒体ＯＭの厚み方向の断面を示す模式図である。
【００３４】
この光記録媒体ＯＭでは、図４に示すように、光情報記録層１２が光透過性基板１０ａ，１０ｂの間でその外周に沿うように配置されたリング状の外側のスペーサ１３ａと、センタ孔Ｈに対応する孔部の周囲に沿うように配置されたリング状の内側のスペーサ１３ｂとで区画された部分に形成されている。そして、この光記録媒体ＯＭでは、媒体形成材料の変形が外側のスペーサ１３ａに形成された気泡１７で形成されている。この光記録媒体ＯＭでは、光センサ１５が気泡１７を検出することによって記録光および参照光の照射位置が位置決めされる。
【００３５】
また、前記実施形態では、ホログラフィ（干渉）を用いて光情報を記録する３次元光記録媒体について説明したが、本発明はこれに限定されるものではなく、光情報記録層に２光子吸収材料を用いたものであってもよい。この２光子吸収材料としては、２光子または多光子吸収を行うことでそれ自身が何らかの化学的、物理的変化を起こす第１の化合物のみから成るか、２光子または多光子吸収化合物と、その２光子または多光子吸収により何らかの化学的、物理的変化が誘起される第二の化合物とから成るか、２光子または多光子吸収化合物と、該化合物の２光子または多光子吸収に誘起されて化学的、物理的変化を起こす第二の化合物の他に、さらにこれらの記録の仕組みを調整する役割の、第三の化合物を含むものを用いることができる。この２光子吸収材料としては、例えば、特開２００２−１７２８６４号公報等に記載されているものが挙げられる。
【００３６】
また、前記実施形態では、ディスク状の光記録媒体ＯＭについて説明したが、本発明はこれに限定されるものではなく、カード状やテープ状のものであってもよい。
【００３７】
また、前記実施形態では、角度多重方式で光情報が記録される光記録媒体ＯＭを示したが、本発明はこれに限定されるものではなく、多重記録方式に代えてシフト多重方式や、波長多重方式、位相コード多重方式、ポリトピック（Polytopic）多重方式で記録されるものであってもよい。また、前記した角度多重方式等の組み合わせによる多重方式で光情報の記録が行われるものであってもよい。
【実施例】
【００３８】
次に、本発明の光記録媒体を実施例に基づいてさらに具体的に説明するが、本発明はこれらの実施例に限定されるものではない。
【００３９】
（実施例１）
＜光記録媒体の製造＞
実施例１では、図１に示すような光記録媒体ＯＭが製造された。まず、光反応性樹脂組成物が、表１に示すバインダ、モノマ、重合禁止剤、増感色素、重合開始剤、および溶剤としてのジクロロメタンの各成分を表１に示す質量比となるように混合することによって調製された。
【００４０】
【表１】
2006293164.tif 000003
【００４１】
なお、表１中のＣＡＢ５３１−１は、セルロースアセテートブチレート（イーストマンケミカル社製）を表わし、ＰＯＥＡは、アクリル酸２−フェノキシエチル(ＣａｓＮｏ.４８１４５−０４−６)を表わし、ＭＥＨＱは、４−メトキシフェノール(ＣａｓＮｏ.１５０−７６−５)を表わし、ＤＥＡＷは、シクロペンタノン−２,５−ビス[[４−(ジエチルアミノ)フェニル]メチレン]（ＣａｓＮｏ.３８３９４−５３−５）を表わし、ＭＢＯは、２−メルカプトベンズオキサゾール(ＣａｓＮｏ.２３８２−９６−９)を表わし、ｏ−ＣＬ−ＨＡＢＩは、２，２−ビス[ｏ−クロロフェニル]−４，４，５，５−テトラフェニル−１，１−ビイミダゾール(ＣａｓＮｏ.１７０７−６８−２)を表わす。そして、混合は、赤色灯下で各成分が褐色ナス型フラスコに秤量されて投入されるとともに、スターラで３時間攪拌されることによって行われた。得られた光反応性樹脂組成物（以下、「樹脂組成物Ａ」という）の粘度は、２１[Ｐａｓ]であった。
【００４２】
次に、第２の光透過性基板１０ｂ（ポリカーボネート、厚み８０μｍ）の上に、３００μｍのクリアランス（ギャップ長）のコータを用いて樹脂組成物Ａを塗布するとともに、これを４０℃で３分間乾燥させた。さらに乾燥させた樹脂組成物Ａ上に同じコータを用いて重ね塗りを行って４０℃で３分間乾燥させる工程を２度繰り返した。その結果、第２の光透過性基板１０ｂ上には、光情報記録層１２が形成された。
【００４３】
次に、光情報記録層１２が形成された第２の光透過性基板１０ｂを直径１２ｃｍのディスクに打ち抜いた。その一方で、直径１２ｃｍのディスクであるガラス製の第１の光透過性基板１０ａ（厚み：１ｍｍ）を準備した。そして、この第１の光透過性基板１０ａには、複数のピット１１（図１（ｂ）参照）が周縁に沿うように等間隔に形成された。ピット１１の形成は、第１の光透過性基板１０ａの板面に電子線が照射されることによって行われた。
【００４４】
次に、第１の光透過性基板１０ａが光情報記録層１２に貼り付けられることによって光記録媒体ＯＭが製造された。なお、光情報記録層１２には、第１の光透過性基板１０ａのピット１１が形成されていない側が貼り付けられた。そして、この光記録媒体ＯＭにおける光情報記録層１２の厚みが測定された。光情報記録層１２の厚みの測定には、ＳＯＮＹ社製ＤＩＧＩＴＡＬ  ＭＩＣＲＯＭＥＴＥＲが使用された。そして、光情報記録層１２の厚みは、測定された光記録媒体ＯＭの全体の厚みから第１の光透過性基板１０ａの厚みと第２の光透過性基板１０ｂの厚みとを差し引くことによって算出した。光情報記録層１２の厚みを表３に示す。
【００４５】
＜光記録媒体の回折効率の測定＞
製造された光記録媒体ＯＭに対して光情報の記録再生が行われた。そして、記録再生時における回折効率が、図５に示す回折効率測定装置Ｍによって測定された。
【００４６】
光記録媒体ＯＭに対して光情報の記録を行う際には、赤色レーザが光記録媒体ＯＭの縁部１４に照射されるとともに、その反射光が光センサ１５（図２（ａ）参照）で検出された。そして、赤色レーザの反射率の変化によってピット１１の位置が検出され、記録光および参照光が、ピット１１から内側（光記録媒体ＯＭの中心側）に１ｃｍの箇所に照射されるように設定された。
【００４７】
次に、図５に示すように、ＹＡＧレーザ源３１から照射されたＹＡＧレーザ光（波長：５３２ｎｍ）が、対物レンズ３２、レンズ３３、ビームスプリッタ３４、ミラー３５、および図示しない空間変調素子を通過することによって記録光Ｌ１として光記録媒体ＯＭの表面Ｓ１に照射された。この際、記録光Ｌ１の光記録媒体ＯＭの表面Ｓ１に対する入射角度は１５度に設定されるとともに、スポット径は８ｍｍφに設定された。そして、ビームスプリッタ３４で分離された光は、ミラー３５を介して参照光Ｌ３として記録光Ｌ１に合わせ込まれた。その結果、光記録媒体ＯＭ（光情報記録層１２）では干渉縞が形成されることによって光情報がホログラム記録された。なお、この回折効率測定装置Ｍでは、光記録媒体ＯＭに対する光情報の多重記録時に同じ回折効率が得られるようにスケジュール記録が行われた。
【００４８】
このような光情報の記録が行われる際に、Ｈｅ−Ｎｅレーザ源３８からミラー３９およびミラー４０を介して、波長６３３ｎｍのＨｅ−Ｎｅレーザ光Ｌ２が、光記録媒体ＯＭの裏面Ｓ２に入射角度、約１８度（Ｂｒａｇｇ（ブラッグ）角）で照射された。そして、このときの露光量に対する回折効率の変化を観測した。回折効率は、光記録媒体ＯＭの表面Ｓ１の側に設けられたパワーメータ４１によって測定されるＨｅ−Ｎｅレーザの回折光の光量と、光記録媒体ＯＭの裏面Ｓ２に入射するＨｅ−Ｎｅレーザの入射光量（Ｈｅ−Ｎｅレーザ源３８からの出射光量）とに基づいて次式（１）によって求めた。その結果を記録時の回折効率（％）として表３に示す。
【００４９】
回折効率（％）＝回折光の光量／入射光量×１００・・・・（１）
【００５０】
次に、光記録媒体ＯＭに参照光Ｌ３を照射することによって光情報を再生した。この際、参照光Ｌ３の照射位置の位置決めは、光情報の記録時と同様にピット１１を検出することによって行った。そして、記録時の回折効率（％）を測定したときと同様にしてＨｅ−Ｎｅレーザ光Ｌ２を光記録媒体ＯＭの裏面Ｓ２に照射することによって再生時の回折効率（％）が求められた。その結果を表３に示す。
【００５１】
（実施例２）
実施例１で使用した樹脂組成物Ａに代えて、樹脂組成物Ｂを使用した以外は実施例１と同様に光記録媒体を製造した。この樹脂組成物Ｂは、表２に示すバインダ、酸で消色する色素、酸発生剤、増感色素、ならびに溶剤としての塩化メチレンおよびアセトニトリルの各成分を表２に示す質量比となるように混合することによって調製された。
【００５２】
【表２】
2006293164.tif 000004
【００５３】
なお、表２中のＰＭＭＡは、ポリメチルメタクリレート（Aldrich社製、Ｍｗ：９９６０００）を表わし、色素Ａは、次式（ａ）：
【００５４】
【化１】
2006293164.tif 000005
【００５５】
で示される第４級アンモニウム塩を表わし、酸発生剤Ａは、ジフェニルヨードニウムヘキサフルオロりん酸(ＣａｓＮｏ.５８１０９−４０−３)を表わし、色素Ｂは、次式（ｂ）：
【００５６】
【化２】
2006293164.tif 000006
【００５７】
で示されるＲｕ錯体化合物を表わす。
そして、得られた光記録媒体について実施例１と同様にして回折効率（％）を求めた。その結果を表３に示す。
【００５８】
（比較例１）
実施例１において、第２の光透過性基板の全面にピットが形成されたものを使用した以外は、実施例１と同様して光記録媒体を製造するとともに、得られた光記録媒体について回折効率（％）を求めた。その結果を表３に示す。
【００５９】
（比較例２）
実施例２において、第２の光透過性基板にピットを全く形成しなかった以外は、実施例２と同様して光記録媒体を製造するとともに、得られた光記録媒体について回折効率（％）を求めた。その結果を表３に示す。
【００６０】
【表３】
2006293164.tif 000007
【００６１】
（回折効率の評価）
表３から明らかなように、実施例１および実施例２の光記録媒体ＯＭは、光情報の記録時および再生時のいずれにおいても良好な回折効率を示している。これに対して、比較例１の光記録媒体は、記録時の回折効率が低下している。このことは、比較例１の光記録媒体では、ピット１１が第１の光透過性基板１０ａの全面に形成されているので、記録光Ｌ１および参照光Ｌ３がピット１１に当たって散乱したためと考えられる。また、比較例２の光記録媒体は、再生時の回折効率が低下している。このことは、比較例２の光記録媒体では、ピット１１が形成されていないので、再生時における参照光Ｌ３の照射位置が光情報の記録位置に正確に位置決めされなかったためと考えられる。
【図面の簡単な説明】
【００６２】
【図１】図１（ａ）は、実施形態に係る３次元光記録媒体の斜視図、図１（ｂ）は、図１（ａ）のＸ部を拡大した様子を模式的に示す図である。
【図２】図２（ａ）および図２（ｂ）は、３次元光記録媒体に光情報が記録される工程を示す模式図である。
【図３】他の実施形態に係る３次元光記録媒体の部分斜視図である。
【図４】他の実施形態に係る３次元光記録媒体の断面図である。
【図５】実施例で使用した回折効率測定装置の模式図である。
【符号の説明】
【００６３】
１０ａ  光透過性基板
１０ｂ  光透過性基板
１１    ピット
１２    光情報記録層
１４    縁部
１７    気泡
２１    山部
２２    谷部
ＯＭ    ３次元光記録媒体（光記録媒体）
Ｐ      ピッチ
【図１】
2006293164.tif 000008
【図２】
2006293164.tif 000009
【図３】
2006293164.tif 000010
【図４】
2006293164.tif 000011
【図５】
2006293164.tif 000012